(57)【要約】【課題】オークションにおいて、過去の販売情報に基づいて入札者を優遇することができる商取引装置、商取引方法、商取引システム及びプログラムを提供すること。【解決手段】実施形態の商取引装置は、商品の購入希望者の前記商品に関する商取引についての販売情報を取得し、前記販売情報に基づいて、前記商品の落札者又は落札金額の少なくともいずれか一方を決定する決定部を備える。販売情報は、前記購入希望者が運用するＰＯＳシステム上で行われた前記商品に関する商取引についての販売情報であることが好ましい。【選択図】図４
2019020900.tif 000002
【特許請求の範囲】
【請求項１】
商品の購入希望者の前記商品に関する商取引についての販売情報を取得し、前記販売情報に基づいて、前記商品の落札者又は落札金額の少なくともいずれか一方を決定する決定部を備える、商取引装置。
【請求項２】
前記販売情報は、前記購入希望者が運用するＰＯＳシステム上で行われた前記商品に関する商取引についての販売情報である、請求項１に記載の商取引装置。
【請求項３】
前記決定部は、前記購入希望者の前記商品に関する商品の販売率に基づいて前記落札者を決定する、請求項１又は請求項２に記載の商取引装置。
【請求項４】
商品の購入希望者の前記商品に関する商取引についての販売情報に基づいて、前記商品の落札者又は落札金額の少なくともいずれか一方を決定する商取引方法。
【請求項５】
商取引装置及び販売記憶装置を含み、
前記販売記憶装置は、
前記商取引装置に販売情報を送信する送信部を備え、
前記商取引装置は、
商品の購入希望者の前記商品に関する商取引についての前記販売情報を取得し、前記販売情報に基づいて、前記商品の落札者又は落札金額の少なくともいずれか一方を決定する決定部を備える、商取引システム。
【請求項６】
商取引装置が備えるコンピューターを、
商品の購入希望者の前記商品に関する商取引についての販売情報を取得し、前記販売情報に基づいて、前記商品の落札者又は落札金額の少なくともいずれか一方を決定する決定部として機能させるプログラム。
【発明の詳細な説明】
【技術分野】
【０００１】
本発明の実施形態は、商取引装置、商取引方法、商取引システム及びプログラムに関する。
【背景技術】
【０００２】
生産者、卸売業者又は仲卸業者などの販売者が、仲卸業者又は小売業者などの購入者に対して商品を販売する際、販売先の決定に、オークションが用いられる場合がある。販売先の決定にオークションが用いられる場合、通常、販売先は、購入希望者が提示する入札価格、購入希望者が提示する数量、及び当該入札が行われた時間などの条件に基づき購入希望者の中から決定される。ところで、販売者は、お得意様などを優遇して商品を販売したい場合がある。しかしながら、オークションを用いて商品を販売する場合、販売者は、お得意様などを優遇することが難しくなる。
【先行技術文献】
【特許文献】
【０００３】
【特許文献１】特開２００８―２５０６６１号公報
【発明の概要】
【発明が解決しようとする課題】
【０００４】
本発明の実施形態が解決しようとする課題は、オークションにおいて、過去の販売情報に基づいて入札者を優遇することができる商取引装置、商取引方法、商取引システム及びプログラムを提供することである。
【課題を解決するための手段】
【０００５】
実施形態の商取引装置は、商品の購入希望者の前記商品に関する商取引についての販売情報を取得し、前記販売情報に基づいて、前記商品の落札者又は落札金額の少なくともいずれか一方を決定する決定部を備える。
【図面の簡単な説明】
【０００６】
【図１】第１実施形態〜第３実施形態に係る商取引システムの概要を示すブロック図。
【図２】図１中の商取引サーバー、販売者端末及びＰＯＳ端末の要部回路構成を示すブロック図。
【図３】図１中のストアサーバー、本部サーバー及び購入者端末の要部回路構成を示すブロック図。
【図４】図１中に示す商取引サーバーのプロセッサーによる第１実施形態〜第３実施形態に係る制御処理のフローチャート。
【図５】図１中に示す商取引サーバーのプロセッサーによる第１実施形態に係る制御処理のフローチャート。
【図６】図１中に示す商取引サーバーのプロセッサーによる第２実施形態に係る制御処理のフローチャート。
【図７】図１中に示す商取引サーバーのプロセッサーによる第３実施形態に係る制御処理のフローチャート。
【発明を実施するための形態】
【０００７】
以下、いくつかの実施形態に係る商取引システムについて図面を用いて説明する。
〔第１実施形態〕
まず、商取引システムの構成について図１〜図３に基づいて説明する。図１は、第１実施形態に係る商取引システム１の概要を示すブロック図である。図２は、商取引システム１に含まれる商取引サーバー１０、販売者端末２０及びＰＯＳ（point of sale）端末３０の要部回路構成を示すブロック図である。図３は、商取引システム１に含まれるストアサーバー４０、本部サーバー５０及び購入者端末６０の要部回路構成を示すブロック図である。
【０００８】
商取引システム１は、オークション形式により販売者と購入希望者とで商品の売買を行うオークションサービスを提供する。なお、オークションは、競り、競り売り又は競売なども含む。オークションサービスにおける購入希望者は、小売業者、中卸業者、貿易業者などの、販売者から購入した商品を別の者に販売する者である。また、オークションサービスにおける販売者は、卸売業者、中卸業者、生産者又は貿易業者などである。すなわち、商取引システム１は、いわゆる卸売りなどを行うために用いられる。なお、オークションサービスを用いて卸売りを行う者を、以下「卸売販売者」というものとする。また、卸売販売者からオークションサービスを用いて商品を購入する者、及び購入しようとする者を、以下「卸売購入者」というものとする。
商取引システム１は、図１に示すように、商取引サーバー１０、販売者端末２０、ＰＯＳ端末３０、ストアサーバー４０、本部サーバー５０及び購入者端末６０を含む。商取引サーバー１０、販売者端末２０、一部のＰＯＳ端末３０、ストアサーバー４０、本部サーバー５０及び購入者端末６０は、ネットワークＮＷ１に接続されている。ネットワークＮＷ１は、典型的にはインターネットを含む通信網である。なお、ネットワークＮＷ１は、ＬＡＮ（local area network）又はイントラネットなどのプライベートネットワークを含む通信網であっても良い。
【０００９】
商取引サーバー１０は、商取引システム１の中枢を担うサーバーの一例である。商取引サーバー１０は、図２に示すように、プロセッサー１１、ＲＯＭ（read-only memory）１２、ＲＡＭ（random-access memory）１３、補助記憶デバイス１４、通信インターフェース１５及びバス１６を含む。商取引サーバー１０は、商取引装置の一例である。
【００１０】
プロセッサー１１は、商取引サーバー１０の動作に必要な演算及び制御などの処理を行うコンピューターの中枢部分に相当する。プロセッサー１１は、ＲＯＭ１２又は補助記憶デバイス１４などに記憶されたシステムソフトウェア、アプリケーションソフトウェア又はファームウェアなどのプログラムに基づいて、商取引サーバー１０の各種の機能を実現するべく各部を制御する。プロセッサー１１は、例えば、ＣＰＵ（central processing unit）、ＭＰＵ（micro processing unit）、ＳｏＣ（system on a chip）、ＤＳＰ（digital signal processor）又はＧＰＵ（graphics processing unit）などである。あるいは、プロセッサー１１は、これらの組み合わせである。
【００１１】
ＲＯＭ１２は、プロセッサー１１を中枢とするコンピューターの主記憶装置に相当する。ＲＯＭ１２は、専らデータの読み出しに用いられる不揮発性メモリである。ＲＯＭ１２は、上記のプログラムを記憶する。また、ＲＯＭ１２は、プロセッサー１１が各種の処理を行う上で使用するデータ又は各種の設定値などを記憶する。
【００１２】
ＲＡＭ１３は、プロセッサー１１を中枢とするコンピューターの主記憶装置に相当する。ＲＡＭ１３は、データの読み書きに用いられるメモリである。ＲＡＭ１３は、プロセッサー１１が各種の処理を行う上で一時的に使用するデータを記憶しておく、いわゆるワークエリアなどとして利用される。
【００１３】
補助記憶デバイス１４は、プロセッサー１１を中枢とするコンピューターの補助記憶装置に相当する。補助記憶デバイス１４は、例えばＥＥＰＲＯＭ（electric erasable programmable read-only memory）、ＨＤＤ（hard disk drive）又はＳＳＤ（solid state drive）などである。補助記憶デバイス１４は、上記のプログラムを記憶する場合がある。また、補助記憶デバイス１４は、プロセッサー１１が各種の処理を行う上で使用するデータ、プロセッサー１１での処理によって生成されたデータ又は各種の設定値などを保存する。さらに、補助記憶デバイス１４は、オークションサービスに係るデータを記憶するオークションデータベースを記憶する。
【００１４】
ＲＯＭ１２又は補助記憶デバイス１４に記憶されるプログラムは、後述する制御処理に関して記述した制御プログラムを含む。一例として、商取引サーバー１０は、制御プログラムがＲＯＭ１２又は補助記憶デバイス１４に記憶された状態で商取引サーバー１０の管理者などへと譲渡される。しかしながら、商取引サーバー１０は、後述する制御処理に関して記述した制御プログラムがＲＯＭ１２又は補助記憶デバイス１４に記憶されない状態で当該管理者などに譲渡されても良い。また、商取引サーバー１０は、別の制御プログラムがＲＯＭ１２又は補助記憶デバイス１４に記憶された状態で当該管理者などに譲渡されても良い。そして、後述する制御処理に関して記述した制御プログラムが別途に当該管理者などへと譲渡され、当該管理者又はサービスマンなどによる操作の下にＲＯＭ１２又は補助記憶デバイス１４へと書き込まれても良い。このときの制御プログラムの譲渡は、例えば、磁気ディスク、光磁気ディスク、光ディスク又は半導体メモリなどのようなリムーバブルな記憶媒体に記録して、あるいはネットワークを介したダウンロードにより実現できる。
【００１５】
通信インターフェース１５は、商取引サーバー１０がネットワークＮＷ１などを介して通信するためのインターフェースである。
バス１６は、コントロールバス、アドレスバス及びデータバスなどを含み、商取引サーバー１０の各部で授受される信号を伝送する。
【００１６】
販売者端末２０は、卸売販売者が、販売する商品についての情報を登録するために用いられる。販売者端末２０は、例えば、ＰＣ（personal computer）、タブレットＰＣ、スマートホン等の携帯電話、又はＰＯＳ端末などである。販売者端末２０は、プロセッサー２１、ＲＯＭ２２、ＲＡＭ２３、補助記憶デバイス２４、通信インターフェース２５、入力デバイス２６、表示デバイス２７及びバス２８を含む。
【００１７】
プロセッサー２１は、販売者端末２０の動作に必要な演算及び制御などの処理を行うコンピューターの中枢部分に相当する。プロセッサー２１は、ＲＯＭ２２又は補助記憶デバイス２４などに記憶されたシステムソフトウェア、アプリケーションソフトウェア又はファームウェアなどのプログラムに基づいて、販売者端末２０の各種の機能を実現するべく各部を制御する。プロセッサー２１は、例えば、ＣＰＵ、ＭＰＵ、ＳｏＣ、ＤＳＰ又はＧＰＵなどである。あるいは、プロセッサー２１は、これらの組み合わせである。
【００１８】
ＲＯＭ２２は、プロセッサー２１を中枢とするコンピューターの主記憶装置に相当する。ＲＯＭ２２は、専らデータの読み出しに用いられる不揮発性メモリである。ＲＯＭ２２は、上記のプログラムを記憶する。また、ＲＯＭ２２は、プロセッサー２１が各種の処理を行う上で使用するデータ又は各種の設定値などを記憶する。
【００１９】
ＲＡＭ２３は、プロセッサー２１を中枢とするコンピューターの主記憶装置に相当する。ＲＡＭ２３は、データの読み書きに用いられるメモリである。ＲＡＭ２３は、プロセッサー２１が各種の処理を行う上で一時的に使用するデータを記憶しておく、いわゆるワークエリアなどとして利用される。
【００２０】
補助記憶デバイス２４は、プロセッサー２１を中枢とするコンピューターの補助記憶装置に相当する。補助記憶デバイス２４は、例えばＥＥＰＲＯＭ、ＨＤＤ又はＳＳＤなどである。補助記憶デバイス２４は、上記のプログラムを記憶する場合がある。また、補助記憶デバイス２４は、プロセッサー２１が各種の処理を行う上で使用するデータ、プロセッサー２１での処理によって生成されたデータ又は各種の設定値などを保存する。
【００２１】
通信インターフェース２５は、販売者端末２０がネットワーク又は通信ケーブルなどを介してホストコンピューターなどと通信するためのインターフェースである。
【００２２】
入力デバイス２６は、販売者端末２０の操作者による操作を受け付ける。入力デバイス２６は、例えば、キーボード、キーパッド、タッチパッド又はマウスなどである。
【００２３】
表示デバイス２７は、販売者端末２０の操作者に各種情報を通知するための画面を表示する。表示デバイス２７は、例えば、液晶ディスプレイ又は有機ＥＬディスプレイなどのディスプレイである。また、表示デバイス２７としては、タッチパッドに重ねて配置された表示パネルを用いることもできる。すなわち、タッチパネルが備える表示パネルを表示デバイス２７として、タッチパネルが備えるタッチパッドを入力デバイス２６として用いることができる。
【００２４】
バス２８は、コントロールバス、アドレスバス及びデータバスなどを含み、販売者端末２０の各部で授受される信号を伝送する。
【００２５】
図１には、卸売購入者である商店Ａ、商店Ｂ及び商店Ｃを例示して、各卸売購入者における店舗での装置の設置例を示している。なお、商店Ａ及び商店Ｂは、それぞれ単一の店舗である。また、商店Ｃは、店舗Ｃ−１及び店舗Ｃ−２を含む複数の店舗を有する。以下、商店Ａ、商店Ｂ及び商店Ｃを例に、ＰＯＳ端末３０、ストアサーバー４０及び本部サーバー５０について説明する。
【００２６】
商店Ａは、店舗内に、ネットワークＮＷ２に接続された複数のＰＯＳ端末３０が設置されている。これら複数のＰＯＳ端末３０は、商店Ａが運用するＰＯＳシステム上の装置である。そして、複数のＰＯＳ端末３０のうちの１台がマスターモードとして動作する。なお、マスターモードで動作するＰＯＳ端末３０を、区別のためにＰＯＳ端末３０Ｍと称するものとする。なお、ネットワークＮＷ２は、商店Ａ内における複数の機器間の通信を可能にする。ネットワークＮＷ２は、典型的にはＬＡＮを含む通信網である。また、ＰＯＳ端末３０Ｍは、ネットワークＮＷ２に加えてネットワークＮＷ１と接続されている。それぞれのＰＯＳ端末３０は、商店Ａで販売される商品についての商取引及び決済を行う。ＰＯＳ端末３０Ｍは、商店Ａ内の複数のＰＯＳ端末３０のそれぞれによって行われた商取引についての販売情報を記憶する。販売情報は、各商品についての入荷日時、入荷数量、在庫数量、販売数量及び在庫数量などを含む。ＰＯＳ端末３０は、プロセッサー３１、ＲＯＭ３２、ＲＡＭ３３、補助記憶デバイス３４、通信インターフェース３５、入力デバイス３６、表示デバイス３７及びバス３８を含む。ＰＯＳ端末３０Ｍは、購入希望者の販売情報を記憶する販売記憶装置の一例である。
【００２７】
プロセッサー３１は、ＰＯＳ端末３０の動作に必要な演算及び制御などの処理を行うコンピューターの中枢部分に相当する。プロセッサー３１は、ＲＯＭ３２又は補助記憶デバイス３４などに記憶されたシステムソフトウェア、アプリケーションソフトウェア又はファームウェアなどのプログラムに基づいて、ＰＯＳ端末３０の各種の機能を実現するべく各部を制御する。プロセッサー３１は、例えば、ＣＰＵ、ＭＰＵ、ＳｏＣ、ＤＳＰ又はＧＰＵなどである。あるいは、プロセッサー３１は、これらの組み合わせである。
【００２８】
ＲＯＭ３２は、プロセッサー３１を中枢とするコンピューターの主記憶装置に相当する。ＲＯＭ３２は、専らデータの読み出しに用いられる不揮発性メモリである。ＲＯＭ３２は、上記のプログラムを記憶する。また、ＲＯＭ３２は、プロセッサー３１が各種の処理を行う上で使用するデータ又は各種の設定値などを記憶する。
【００２９】
ＲＡＭ３３は、プロセッサー３１を中枢とするコンピューターの主記憶装置に相当する。ＲＡＭ３３は、データの読み書きに用いられるメモリである。ＲＡＭ３３は、プロセッサー３１が各種の処理を行う上で一時的に使用するデータを記憶しておく、いわゆるワークエリアなどとして利用される。
【００３０】
補助記憶デバイス３４は、プロセッサー３１を中枢とするコンピューターの補助記憶装置に相当する。補助記憶デバイス３４は、例えばＥＥＰＲＯＭ、ＨＤＤ又はＳＳＤなどである。補助記憶デバイス３４は、上記のプログラムを記憶する場合がある。また、補助記憶デバイス３４は、プロセッサー３１が各種の処理を行う上で使用するデータ、プロセッサー３１での処理によって生成されたデータ又は各種の設定値などを保存する。
【００３１】
通信インターフェース３５は、ＰＯＳ端末３０がネットワークなどを介して通信するためのインターフェースである。通信インターフェース３５は、商取引装置に販売情報を送信する送信部の一例である。
【００３２】
入力デバイス３６は、ＰＯＳ端末３０の操作者による操作を受け付ける。入力デバイス３６は、例えば、キーボード、キーパッド、タッチパッド又はマウスなどである。
【００３３】
表示デバイス３７は、ＰＯＳ端末３０の操作者に各種情報を通知するための画面を表示する。表示デバイス３７は、例えば、液晶ディスプレイ又は有機ＥＬディスプレイなどのディスプレイである。また、表示デバイス３７としては、タッチパッドに重ねて配置された表示パネルを用いることもできる。すなわち、タッチパネルが備える表示パネルを表示デバイス３７として、タッチパネルが備えるタッチパッドを入力デバイス３６として用いることができる。
【００３４】
バス３８は、コントロールバス、アドレスバス及びデータバスなどを含み、ＰＯＳ端末３０の各部で授受される信号を伝送する。
【００３５】
商店Ｂは、店舗内に、ネットワークＮＷ３に接続された複数のＰＯＳ端末３０と、ネットワークＮＷ１及びネットワークＮＷ３に接続されたストアサーバー４０が設置されている。これら複数のＰＯＳ端末３０及びストアサーバー４０は、商店Ｂが運用するＰＯＳシステム上の装置である。ネットワークＮＷ３は、商店Ｂ内における複数の機器間での通信を可能にする。ネットワークＮＷ３は、典型的にはＬＡＮを含む通信網である。商店Ｂに設置されたストアサーバー４０は、商店Ｂ内の複数のＰＯＳ端末３０のそれぞれによって行われた商取引についての販売情報を記憶する。ストアサーバー４０は、プロセッサー４１、ＲＯＭ４２、ＲＡＭ４３、補助記憶デバイス４４、通信インターフェース４５及びバス４６を含む。ストアサーバー４０は、販売記憶装置の一例である。
【００３６】
プロセッサー４１は、ストアサーバー４０の動作に必要な演算及び制御などの処理を行うコンピューターの中枢部分に相当する。プロセッサー４１は、ＲＯＭ４２又は補助記憶デバイス４４などに記憶されたシステムソフトウェア、アプリケーションソフトウェア又はファームウェアなどのプログラムに基づいて、ストアサーバー４０の各種の機能を実現するべく各部を制御する。プロセッサー４１は、例えば、ＣＰＵ、ＭＰＵ、ＳｏＣ、ＤＳＰ又はＧＰＵなどである。あるいは、プロセッサー４１は、これらの組み合わせである。
【００３７】
ＲＯＭ４２は、プロセッサー４１を中枢とするコンピューターの主記憶装置に相当する。ＲＯＭ４２は、専らデータの読み出しに用いられる不揮発性メモリである。ＲＯＭ４２は、上記のプログラムを記憶する。また、ＲＯＭ４２は、プロセッサー４１が各種の処理を行う上で使用するデータ又は各種の設定値などを記憶する。
【００３８】
ＲＡＭ４３は、プロセッサー４１を中枢とするコンピューターの主記憶装置に相当する。ＲＡＭ４３は、データの読み書きに用いられるメモリである。ＲＡＭ４３は、プロセッサー４１が各種の処理を行う上で一時的に使用するデータを記憶しておく、いわゆるワークエリアなどとして利用される。
【００３９】
補助記憶デバイス４４は、プロセッサー４１を中枢とするコンピューターの補助記憶装置に相当する。補助記憶デバイス４４は、例えばＥＥＰＲＯＭ、ＨＤＤ又はＳＳＤなどである。補助記憶デバイス４４は、上記のプログラムを記憶する場合がある。また、補助記憶デバイス４４は、プロセッサー４１が各種の処理を行う上で使用するデータ、プロセッサー４１での処理によって生成されたデータ又は各種の設定値などを保存する。
【００４０】
通信インターフェース４５は、ストアサーバー４０がネットワークなどを介して通信するためのインターフェースである。通信インターフェース４５は、商取引装置に販売情報を送信する送信部の一例である。
【００４１】
バス４６は、コントロールバス、アドレスバス及びデータバスなどを含み、ストアサーバー４０の各部で授受される信号を伝送する。
【００４２】
店舗Ｃ−１は、ネットワークＮＷ４に接続された複数のＰＯＳ端末３０と、ネットワークＮＷ１及びネットワークＮＷ４に接続されたストアサーバー４０が設置されている。なお、ネットワークＮＷ４は、店舗Ｃ−１内における複数の機器間の通信を可能にする。ネットワークＮＷ４は、典型的にはＬＡＮを含む通信網である。店舗Ｃ−１に設置されたストアサーバー４０は、店舗Ｃ−１内の複数のＰＯＳ端末３０のそれぞれによって行われた商取引についての販売情報を記憶する。そして、当該ストアサーバー４０は、商店Ｃの本部サーバー５０に当該販売情報を送信する。
また、店舗Ｃ−２は、ネットワークＮＷ５に接続された複数のＰＯＳ端末３０と、ネットワークＮＷ１及びネットワークＮＷ５に接続されたストアサーバー４０が設置されている。なお、ネットワークＮＷ５は、店舗Ｃ−２内における複数の機器間の通信を可能にする。ネットワークＮＷ５は、典型的にはＬＡＮを含む通信網である。店舗Ｃ−２に設置されたストアサーバー４０は、店舗Ｃ−２内の複数のＰＯＳ端末３０のそれぞれによって行われた商取引についての販売情報を記憶する。そして、当該ストアサーバー４０は、商店Ｃの本部サーバー５０に当該販売情報を送信する。
商店Ｃの本部サーバー５０は、商店Ｃに含まれる複数の店舗のそれぞれに設置されたストアサーバー４０から送信される販売情報を受信して記憶する。本部サーバー５０は、ネットワークＮＷ１に接続される。店舗Ｃ−１及び店舗Ｃ−２に設置された複数のＰＯＳ端末３０及びストアサーバー４０並びに本部サーバー５０は、商店Ｃが運用するＰＯＳシステム上の装置である。本部サーバー５０は、プロセッサー５１、ＲＯＭ５２、ＲＡＭ５３、補助記憶デバイス５４、通信インターフェース５５及びバス５６を含む。本部サーバー５０は、販売記憶装置の一例である。
【００４３】
プロセッサー５１は、本部サーバー５０の動作に必要な演算及び制御などの処理を行うコンピューターの中枢部分に相当する。プロセッサー５１は、ＲＯＭ５２又は補助記憶デバイス５４などに記憶されたシステムソフトウェア、アプリケーションソフトウェア又はファームウェアなどのプログラムに基づいて、本部サーバー５０の各種の機能を実現するべく各部を制御する。プロセッサー５１は、例えば、ＣＰＵ、ＭＰＵ、ＳｏＣ、ＤＳＰ又はＧＰＵなどである。あるいは、プロセッサー５１は、これらの組み合わせである。
【００４４】
ＲＯＭ５２は、プロセッサー５１を中枢とするコンピューターの主記憶装置に相当する。ＲＯＭ５２は、専らデータの読み出しに用いられる不揮発性メモリである。ＲＯＭ５２は、上記のプログラムを記憶する。また、ＲＯＭ５２は、プロセッサー５１が各種の処理を行う上で使用するデータ又は各種の設定値などを記憶する。
【００４５】
ＲＡＭ５３は、プロセッサー５１を中枢とするコンピューターの主記憶装置に相当する。ＲＡＭ５３は、データの読み書きに用いられるメモリである。ＲＡＭ５３は、プロセッサー５１が各種の処理を行う上で一時的に使用するデータを記憶しておく、いわゆるワークエリアなどとして利用される。
【００４６】
補助記憶デバイス５４は、プロセッサー５１を中枢とするコンピューターの補助記憶装置に相当する。補助記憶デバイス５４は、例えばＥＥＰＲＯＭ、ＨＤＤ又はＳＳＤなどである。補助記憶デバイス５４は、上記のプログラムを記憶する場合がある。また、補助記憶デバイス５４は、プロセッサー５１が各種の処理を行う上で使用するデータ、プロセッサー５１での処理によって生成されたデータ又は各種の設定値などを保存する。
【００４７】
通信インターフェース５５は、本部サーバー５０がネットワークＮＷ１などを介して通信するためのインターフェースである。通信インターフェース５５は、商取引装置に販売情報を送信する送信部の一例である。
【００４８】
バス５６は、コントロールバス、アドレスバス及びデータバスなどを含み、本部サーバー５０の各部で授受される信号を伝送する。
【００４９】
購入者端末６０は、卸売購入者が、卸売り販売者から商品を購入するために用いられる。購入者端末６０は、例えば、スマートホン等の携帯電話、ＰＣ、又はタブレットＰＣなどである。購入者端末６０は、プロセッサー６１、ＲＯＭ６２、ＲＡＭ６３、補助記憶デバイス６４、通信インターフェース６５、入力デバイス６６、表示デバイス６７及びバス６８を含む。
【００５０】
プロセッサー６１は、購入者端末６０の動作に必要な演算及び制御などの処理を行うコンピューターの中枢部分に相当する。プロセッサー６１は、ＲＯＭ６２又は補助記憶デバイス６４などに記憶されたシステムソフトウェア、アプリケーションソフトウェア又はファームウェアなどのプログラムに基づいて、購入者端末６０の各種の機能を実現するべく各部を制御する。プロセッサー６１は、例えば、ＣＰＵ、ＭＰＵ、ＳｏＣ、ＤＳＰ又はＧＰＵなどである。あるいは、プロセッサー６１は、これらの組み合わせである。
【００５１】
ＲＯＭ６２は、プロセッサー６１を中枢とするコンピューターの主記憶装置に相当する。ＲＯＭ６２は、専らデータの読み出しに用いられる不揮発性メモリである。ＲＯＭ６２は、上記のプログラムを記憶する。また、ＲＯＭ６２は、プロセッサー６１が各種の処理を行う上で使用するデータ又は各種の設定値などを記憶する。
【００５２】
ＲＡＭ６３は、プロセッサー６１を中枢とするコンピューターの主記憶装置に相当する。ＲＡＭ６３は、データの読み書きに用いられるメモリである。ＲＡＭ６３は、プロセッサー６１が各種の処理を行う上で一時的に使用するデータを記憶しておく、いわゆるワークエリアなどとして利用される。
【００５３】
補助記憶デバイス６４は、プロセッサー６１を中枢とするコンピューターの補助記憶装置に相当する。補助記憶デバイス６４は、例えばＥＥＰＲＯＭ、ＨＤＤ又はＳＳＤなどである。補助記憶デバイス６４は、上記のプログラムを記憶する場合がある。また、補助記憶デバイス６４は、プロセッサー６１が各種の処理を行う上で使用するデータ、プロセッサー６１での処理によって生成されたデータ又は各種の設定値などを保存する。
【００５４】
通信インターフェース６５は、購入者端末６０がネットワークなどを介して通信するためのインターフェースである。
【００５５】
入力デバイス６６は、購入者端末６０の操作者による操作を受け付ける。入力デバイス６６は、例えば、キーボード、キーパッド、タッチパッド又はマウスなどである。
【００５６】
表示デバイス６７は、購入者端末６０の操作者に各種情報を通知するための画面を表示する。表示デバイス６７は、例えば、液晶ディスプレイ又は有機ＥＬディスプレイなどのディスプレイである。また、表示デバイス６７としては、タッチパッドに重ねて配置された表示パネルを用いることもできる。すなわち、タッチパネルが備える表示パネルを表示デバイス６７として、タッチパネルが備えるタッチパッドを入力デバイス６６として用いることができる。
【００５７】
バス６８は、コントロールバス、アドレスバス及びデータバスなどを含み、購入者端末６０の各部で授受される信号を伝送する。
【００５８】
以下、第１実施形態に係る商取引システム１の動作を図４及び図５に基づいて説明する。なお、以下の動作説明における処理の内容は一例であって、同様な結果を得ることが可能な様々な処理を適宜に利用できる。また、以下の動作説明における商品の出品及び入札の流れについても一例である。図４及び図５は、商取引サーバー１０のプロセッサー１１による制御処理のフローチャートである。プロセッサー１１は、ＲＯＭ１２又は補助記憶デバイス１４などに記憶された制御プログラムに基づいてこの制御処理を実行する。
【００５９】
図４のＡｃｔ１において商取引サーバー１０のプロセッサー１１は、出品リクエストが通信インターフェース１５によって受信されたか否かを判定する。なお、出品リクエストについては後述する。プロセッサー１１は、出品リクエストが受信されていないならば、Ａｃｔ１においてＮｏと判定してＡｃｔ２へと進む。
【００６０】
Ａｃｔ２においてプロセッサー１１は、入札リクエストが通信インターフェース１５によって受信されたか否かを判定する。なお、入札リクエストについては後述する。プロセッサー１１は、入札リクエストが受信されていないならば、Ａｃｔ２においてＮｏと判定してＡｃｔ３へと進む。
【００６１】
Ａｃｔ３においてプロセッサー１１は、オークションデータベースを参照して、入札終了日時を超過した出品があるか否かを判定する。プロセッサー１１は、入札終了日時を超過した出品がないならば、Ａｃｔ３においてＮｏと判定してＡｃｔ４へと進む。かくして、プロセッサー１１は、出品リクエストが受信されるか、入札リクエストが受信されるか、いずれかの出品が入札終了日時を超過するまでＡｃｔ１〜Ａｃｔ３を繰り返す。
【００６２】
卸売販売者は、オークションサービスを用いて商品を販売したい場合、販売者端末２０を操作して、商品の出品に必要な情報（以下「出品情報」という。）を入力する。出品情報の入力は、例えば、Ｗｅｂブラウザーなどを用いて、商取引サーバー１０によって公開されるＷｅｂページを利用して行う。あるいは例えば、出品情報の入力は、販売者端末２０にインストールされたアプリケーションソフトウェアを用いて行う。当該アプリケーションソフトウェアは、例えば、オークションサービスの運営者によって提供される。なお、卸売販売者は、出品情報を入力する前、又は入力した後、前記のＷｅｂページ又はアプリケーションソフトウェアを利用してオークションサービスにログインするものとする。ログインが行われることで、販売者端末２０は、販売者ＩＤ（identifier）を記憶する。販売者ＩＤ（identifier）は、卸売販売者ごとに割り当てられたユニークな識別符号である。卸売販売者は、出品情報を入力後、販売者端末２０を操作して、当該出品情報を商取引サーバー１０に送信するよう販売者端末２０に対して指示する。これに応じて販売者端末２０のプロセッサー２１は、出品リクエストを生成する。出品リクエストは、出品情報及び販売者ＩＤ（identifier）を含む。出品リクエストを生成した後、プロセッサー２１は、当該出品リクエストを商取引サーバー１０に送信するように通信インターフェース２５に対して指示する。この指示を受けて通信インターフェース２５は、当該出品リクエストを商取引サーバー１０に送信する。送信された当該出品リクエストは、商取引サーバー１０の通信インターフェース１５によって受信される。
【００６３】
出品情報は、一例として、出品する商品の名称、当該商品についての説明、最低入札金額、最低落札金額、出品数量、最低販売数量、入札終了日時、同額入札時の落札者決定方法、落札金額の決定方法、及びその他オプションに係る情報などを含む。
【００６４】
プロセッサー１１は、Ａｃｔ１〜Ａｃｔ３の待受状態にあるときに出品リクエストが通信インターフェース１５によって受信されたならば、Ａｃｔ１においてＹｅｓと判定してＡｃｔ４へと進む。
Ａｃｔ４においてプロセッサー１１は、Ａｃｔ１において受信された出品リクエストに基づき出品登録を行う。すなわち、プロセッサー１１は、出品ＩＤに、販売者ＩＤと出品情報とを関連付けてオークションデータベースに記録する。なお、出品ＩＤは、出品１件ごとに付与されるユニークな識別符号である。さらに、プロセッサー１１は、当該商品について、商取引サーバー１０が提供するＷｅｂページなどにおいて特定又は不特定の者に公開されるよう制御及び処理を行う。当該Ｗｅｂページは、当該出品に関連付けられた出品ＩＤを含む。また、当該Ｗｅｂページは、当該商品の購入希望者が入札をすることができるようになっている。以上により、当該商品が出品される。プロセッサー１１は、Ａｃｔ４の後、Ａｃｔ１へと戻る。
【００６５】
卸売購入者は、オークションサービスを用いて商品を購入したい場合、ＰＯＳ端末３０又は購入者端末６０を操作して、出品されている商品の中から購入したい商品を指定する。さらに、卸売購入者は、ＰＯＳ端末３０又は購入者端末６０を操作して入札に必要な情報（以下「入札情報」という。）を入力する。商品の指定及び入札情報の入力は、例えば、Ｗｅｂブラウザーなどを用いて、商取引サーバー１０によって公開されるＷｅｂページを利用して行う。あるいは例えば、商品の指定及び入札情報の入力は、購入者端末６０にインストールされたアプリケーションソフトウェアを用いて行う。当該アプリケーションソフトウェアは、例えば、オークションサービスの運営者によって提供される。なお、卸売購入者は、入札情報を入力する前、又は入力した後、前記のＷｅｂページ又はアプリケーションソフトウェアを利用してオークションサービスにログインするものとする。ログインが行われることで、ＰＯＳ端末３０又は購入者端末６０は、販売者ＩＤ（identifier）を記憶する。卸売販売者は、入札情報を入力後、ＰＯＳ端末３０又は購入者端末６０を操作して、当該入札情報を商取引サーバー１０に送信するよう購入者端末６０に対して指示する。これに応じて購入者端末６０のプロセッサー６１は、入札リクエストを生成する。入札リクエストは、入力された入札情報、購入者ＩＤ及び出品ＩＤを含む。購入者ＩＤは、卸売購入者ごとに割り当てられたユニークな識別符号である。そして、プロセッサー６１は、生成した当該入札リクエストを商取引サーバー１０に送信するように通信インターフェース６５に対して指示する。この指示を受けて通信インターフェース６５は、当該入札リクエストを商取引サーバー１０に送信する。送信された当該入札リクエストは、商取引サーバー１０の通信インターフェース１５によって受信される。
【００６６】
入札情報は、一例として、入札金額、希望数量、残り数量が希望数量に満たない場合に落札するか否かを示す値、及びその他オプションに係る情報などを含む。なお、入札金額は、入札対象の出品に係る最低入札金額以上でなければならない。また、希望数量は、入札対象の出品に係る最低販売数量以上且つ販売数量以下でなければならない。
【００６７】
プロセッサー１１は、Ａｃｔ１〜Ａｃｔ３の待受状態にあるときに入札リクエストが通信インターフェース１５によって受信されたならば、Ａｃｔ２においてＹｅｓと判定してＡｃｔ５へと進む。
Ａｃｔ５においてプロセッサー１１は、Ａｃｔ２において受信された入札リクエストに基づき入札登録を行う。すなわち、プロセッサー１１は、出品ＩＤに、入札ＩＤと購入者ＩＤと入札情報とを関連付けてオークションデータベースなどに記憶する。なお、入札ＩＤは、入札１件ごとに付与されるユニークな識別符号である。プロセッサー１１は、Ａｃｔ５の後、Ａｃｔ１へと戻る。
【００６８】
プロセッサー１１は、Ａｃｔ１〜Ａｃｔ３の待受状態にあるときに、終了時間を超過した出品があることを確認したならば、Ａｃｔ３においてＹｅｓと判定してＡｃｔ６へと進む。なお、プロセッサー１１は、終了時間を超過した出品が複数ある場合には、以下のＡｃｔ６及びＡｃｔ７の処理をそれぞれの出品について行う。なお、簡単のために、以下の説明では１つの出品だけが終了時間を超過したものとして説明を行う。複数の出品が終了時間を超過した場合には、プロセッサー１１は、同様の処理をそれぞれの出品について行う。
Ａｃｔ６においてプロセッサー１１は、Ａｃｔ３で終了時間を超過したことを確認した出品についての落札者を決定するために、図５に示す落札者決定処理を行う。なお、プロセッサー１１は、図５に示す処理を開始するとき、変数ｎを、ＲＡＭ１３などに割り当てる。また、落札者決定処理の対象とする出品を、以下「対象出品」というものとする。そして、対象出品によって出品されている商品を「対象商品」というものとする。なお、プロセッサー１１は、落札者決定処理において用いる出品情報は、オークションデータベースから取得する。
【００６９】
図５のＡｃｔ１１においてプロセッサー１１は、対象出品に対する入札を、オークションデータベースから抽出する。そして、プロセッサー１１は、抽出した入札をリスト化することで入札リストを作成する。プロセッサー１１は、Ａｃｔ１１の後、Ａｃｔ１２へと進む。
【００７０】
Ａｃｔ１２においてプロセッサー１１は、変数ｎに、対象出品の出品数量を代入する。プロセッサー１１は、Ａｃｔ１２の後、Ａｃｔ１３へと進む。
【００７１】
Ａｃｔ１３においてプロセッサー１１は、入札リストに登録された入札があるか否かを判定する。プロセッサー１１は、入札リストに登録された入札がないならば、Ａｃｔ１３においてＮｏと判定して落札者決定処理を終了する。対して、プロセッサー１１は、入札リストに登録された入札があるならば、Ａｃｔ１３においてＹｅｓと判定してＡｃｔ１４へと進む。
【００７２】
Ａｃｔ１４においてプロセッサー１１は、入札リストから、入札金額が最も高い入札を抽出する。なお、入札金額が最も高い入札が複数ある場合には、プロセッサー１１は、その全てを抽出する。プロセッサー１１は、Ａｃｔ１４の後、Ａｃｔ１５へと進む。
【００７３】
Ａｃｔ１５においてプロセッサー１１は、Ａｃｔ１４で抽出した入札の入札金額が、対象出品の最低落札金額以上であるか否かを判定する。プロセッサー１１は、Ａｃｔ１４で抽出した入札の入札金額が、対象出品の最低落札金額以上でないならば、Ａｃｔ１５においてＮｏと判定して落札者決定処理を終了する。対して、プロセッサー１１は、Ａｃｔ１４で抽出した入札の入札金額が、対象出品の最低落札金額以上であるならば、Ａｃｔ１５においてＹｅｓと判定してＡｃｔ１６へと進む。
【００７４】
Ａｃｔ１６においてプロセッサー１１は、Ａｃｔ１４で抽出した入札が複数あるか否かを判定する。プロセッサー１１は、Ａｃｔ１４で抽出した入札が複数あるならば、Ａｃｔ１６においてＹｅｓと判定してＡｃｔ１７へと進む。
【００７５】
Ａｃｔ１７においてプロセッサー１１は、対象出品の出品情報を参照して、同額入札時の落札者決定方法として販売情報を用いるように設定されているか否かを判定する。プロセッサー１１は、同額入札時の落札者決定方法として、販売情報を用いるように設定されているならば、Ａｃｔ１７においてＹｅｓと判定してＡｃｔ１８へと進む。
【００７６】
Ａｃｔ１８においてプロセッサー１１は、Ａｃｔ１４で抽出した複数の入札のそれぞれについて、対象商品についての過去の特定の期間の商取引に係る販売情報を取得する。プロセッサー１１は、それぞれの入札について、購入者ＩＤで特定される卸売購入者の販売情報を記憶している装置から販売情報を取得する。例えば、当該卸売購入者が商店Ａであれば、プロセッサー１１は、商店Ａに設置されたＰＯＳ端末３０Ｍから販売情報を取得する。また、例えば、当該卸売購入者が商店Ｂであれば、プロセッサー１１は、商店Ｂに設置されたストアサーバー４０から販売情報を取得する。そして、例えば、当該卸売購入者が商店Ｃであれば、本部サーバー５０から販売情報を取得する。すなわち、プロセッサー１１は、情報リクエストをＰＯＳ端末３０、ストアサーバー４０又は本部サーバー５０に送信するように通信インターフェース１５に対して指示する。この指示を受けて通信インターフェース１５は、当該情報リクエストをＰＯＳ端末３０、ストアサーバー４０又は本部サーバー５０に送信する。送信された当該情報リクエストは、ＰＯＳ端末３０の通信インターフェース３５、ストアサーバー４０の通信インターフェース４５、又は本部サーバー５０の通信インターフェース５５によって受信される。一方、ＰＯＳ端末３０のプロセッサー３１、ストアサーバー４０のプロセッサー４１、又は本部サーバー５０のプロセッサー５１は、通信インターフェース３５、通信インターフェース４５又は通信インターフェース５５によって情報リクエストが受信されるのを待ち受けている。プロセッサー３１、プロセッサー４１又はプロセッサー５１は、情報リクエストが受信されたならば、販売情報を商取引サーバー１０に送信するよう通信インターフェース３５、通信インターフェース４５又は通信インターフェース５５に対して指示する。この指示を受けて、通信インターフェース３５、通信インターフェース４５又は通信インターフェース５５は、当該販売情報を商取引サーバー１０に送信する。当該販売情報は、商取引サーバー１０の通信インターフェース１５によって受信される。一方、商取引サーバー１０のプロセッサー１１は、情報リクエストを送信した後、販売情報が通信インターフェース１５によって受信されるのを待ち受けている。プロセッサー１１は、通信インターフェース１５によって受信された販売情報を受け取ることで、販売情報を取得する。以上より、Ａｃｔ１８の処理を行うことで、プロセッサー１１を中枢とするコンピューターは、商品の購入希望者の当該商品に関する商取引についての販売情報を取得する決定部として機能する。プロセッサー１１は、Ａｃｔ１８の後、Ａｃｔ１９へと進む。
【００７７】
Ａｃｔ１９においてプロセッサー１１は、Ａｃｔ１４で抽出した入札それぞれについて、Ａｃｔ１８で取得した販売情報に基づいて販売率を取得する。なお、プロセッサー１１は、例えば、当該販売情報に販売率を導出するために必要な値が含まれる場合、当該値に基づいて販売率を導出することで、販売率を取得する。例えば、商店Ａから取得した販売情報が以下に示す表１及び表２に示すような情報を含む場合、以下に示すように販売率を取得する。
【００７８】
【表１】
2019020900.tif 000003
【表２】
2019020900.tif 000004
【００７９】
表１に示すように、商店Ａは、対象商品を２月１日に１０個、２月３日に２０個入荷している。そして、表２に示すように、商店Ａは、２月１日に入荷した対象商品を２月１日に２個、２月２日に５個、２月３日に２個販売している。したがって、商店Ａは、２月１日に入荷した対象商品を、１０個中９個販売している。よって、商店Ａが２月１日に入荷した対象商品の販売率は、０．９である。また、商店Ａは、２月３日に入荷した対象商品を２月３日に５個、２月４日に１０個、２月５日に２個販売している。したがって、商店Ａは、２月３日に入荷した対象商品を、２０個中１７個販売している。よって、商店Ａが２月３日に入荷した対象商品の販売率は、０．８５である。プロセッサー１１は、このようにして、特定の期間について入荷日ごとの販売率を求めた後、平均の販売率を求める。これをまとめると、例えば、表３のようになる。なお、当該特定の期間は、例えば、出品者によって予め定められる。この場合、特定の期間は、出品情報に含まれる。あるいは、特定の期間は、例えば、オークションサービスの管理者又は設計者などによって予め定められる。なお、特定の期間は、対象商品の消費期限又は賞味期限などに基づく商品に固有の販売可能期間であることが好ましい。販売可能期間は、例えば、製造日時、出荷日時又は納入日時などから消費期限又は賞味期限などまでの期間である。あるいは、販売可能期間は、例えば、前記の期間から一定の期間を差し引いた期間である。
【００８０】
【表３】
2019020900.tif 000005
【００８１】
表３に示すように平均の販売率は、例えば、０．８６である。プロセッサー１１が取得する販売率は、以上のようにして求めた平均の販売率である。なお、商店によっては、販売した商品がいつ入荷したものであるかを記憶していない場合がある。このような場合には、プロセッサー１１は、例えば、特定の期間内の対象商品の販売数の合計を特定の期間内の対象商品の入荷数の合計で割った値を求める。プロセッサー１１は、この値を販売率として取得する。
あるいは、販売情報の送信元が販売率を求めて、商取引サーバー１０に送信する販売情報に当該販売率を含めても良い。この場合、プロセッサー１１は、受信された当該販売情報から販売率を取得する。
なお、プロセッサー１１は、販売率を取得できない場合、例えば、販売率を０とみなす。販売率を取得できない場合とは、例えば、入札者が販売情報の取得を禁止している場合である。あるいは、例えば、販売情報を記憶している装置がビジー状態である、又は当該装置にアクセス出来ない場合である。あるいは、例えば、入札者が対象商品を今まで入荷及び販売していない場合である。プロセッサー１１は、Ａｃｔ１９の後、Ａｃｔ２０へと進む。なお、これ以降の説明における販売率も、プロセッサー１１は、上記と同様にして取得することができる。
【００８２】
Ａｃｔ２０においてプロセッサー１１は、対象出品に対する入札者のうち、Ａｃｔ１９で取得した販売率が最も高い入札者を落札者として決定する。したがって、Ａｃｔ１９の処理を行うことで、プロセッサー１１を中枢とするコンピューターは、販売情報に基づいて、商品の落札者を決定する決定部として機能する。
【００８３】
一方、プロセッサー１１は、Ａｃｔ１４で抽出した入札の数が複数でないならば、Ａｃｔ１６においてＮｏと判定してＡｃｔ２１へと進む。また、プロセッサー１１は、Ａｃｔ１４で抽出した複数の入札の全てが落札可能であるならば、Ａｃｔ１６においてＹｅｓと判定してＡｃｔ２１へと進む。
Ａｃｔ２１においてプロセッサー１１は、Ａｃｔ１４で抽出した入札全てを落札者として決定する。プロセッサー１１は、Ａｃｔ２１の後、Ａｃｔ２２へと進む。
【００８４】
Ａｃｔ２２においてプロセッサー１１は、Ａｃｔ２１で決定した落札者の落札金額を決定する。落札金額は、オークションの種類に応じて異なる。
例えば、オークションの種類がファーストプライスオークションであるならば、プロセッサー１１は、落札者が入札した入札金額を落札金額として決定する。
例えば、オークションの種類がセカンドプライスオークションであるならば、プロセッサー１１は、入札リストから２番目に入札金額の高い入札を抽出する。そして、プロセッサー１１は、例えば、当該入札の入札金額を落札者の落札金額として決定する。なお、プロセッサー１１は、当該入札金額が最低落札金額未満であった場合、最低落札金額を落札者の落札金額として決定する。また、プロセッサー１１は、入札リストに落札者以外の入札が無い場合には、最低落札金額を落札者の落札金額として決定する。
【００８５】
一方、プロセッサー１１は、同額入札時の落札者決定方法として、販売情報を用いないように設定されているならば、Ａｃｔ１７においてＮｏと判定してＡｃｔ２２へと進む。
Ａｃｔ２３においてプロセッサー１１は、同額入札者が複数いる場合における公知の落札者決定方法を用いて、Ａｃｔ１４で抽出した入札に係る入札者の中から落札者を決定する。例えば、プロセッサー１１は、Ａｃｔ１４で抽出した入札の中で最も入札日時が早かった入札又は最も希望数量が多かった入札に係る入札者を落札者として決定する。プロセッサー１１は、Ａｃｔ２３の後、Ａｃｔ２４へと進む。また、プロセッサー１１は、Ａｃｔ２０の後もＡｃｔ２４へと進む。
【００８６】
Ａｃｔ２４においてプロセッサー１１は、Ａｃｔ２０又はＡｃｔ２３で決定した落差者の落札金額を決定する。落札金額は、オークションの種類に応じて異なる。例えば、オークションの種類がファーストプライスオークション又はセカンドプライスオークションであるならば、プロセッサー１１は、落札者が入札した入札金額を落札金額として決定する。プロセッサー１１は、Ａｃｔ２４の後、Ａｃｔ２５へと進む。また、プロセッサー１１は、Ａｃｔ２２の後もＡｃｔ２５へと進む。
【００８７】
Ａｃｔ２５においてプロセッサー１１は、変数ｎの値を、直前のＡｃｔ２０、Ａｃｔ２１又はＡｃｔ２３のいずれかの処理で決定した落札者に係る入札の希望数量分減らす。プロセッサー１１は、Ａｃｔ２５の後、Ａｃｔ２６へと進む。
【００８８】
Ａｃｔ２６においてプロセッサー１１は、対象出品に残り数量があるか否かを判定する。すなわち、プロセッサー１１は、変数ｎの値が０より大きいか否かを判定する。プロセッサー１１は、対象出品に残り数量がないならば、Ａｃｔ２６においてＮｏと判定して落札者決定処理を終了する。対して、プロセッサー１１は、対象出品に残り数量があるならば、Ａｃｔ２６においてＹｅｓと判定してＡｃｔ２７へと進む。
【００８９】
Ａｃｔ２７においてプロセッサー１１は、入札リストを更新する。すなわち、プロセッサー１１は、落札者に係る入札を入札リストから削除する。さらに、プロセッサー１１は、希望数量が変数ｎより多い入札のうち、残り数量が希望数量に満たない場合に落札しない設定になっているものを入札リストから全て削除する。プロセッサー１１は、Ａｃｔ２７の後、Ａｃｔ１３へと戻る。
かくして、プロセッサー１１は、Ａｃｔ１３〜Ａｃｔ２７の処理を繰り返すことで落札者を決定する。
【００９０】
プロセッサー１１は、落札者決定処理を終了したことに応じてＡｃｔ６の処理を終了してＡｃｔ７へと進む。
Ａｃｔ７においてプロセッサー１１は、対象出品の出品者に対して結果通知を送信する。結果通知は、例えば、オークションの結果及び落札者についての情報などを含む。結果通知の送信先は、例えば、当該出品者が管理するＰＯＳ端末３０又は販売者端末２０などである。プロセッサー１１は、Ａｃｔ７の後、Ａｃｔ８へと進む。
【００９１】
Ａｃｔ８においてプロセッサー１１は、落札者決定処理において落札者として決定された入札者それぞれに対して、落札した旨を示す情報及び落札した商品についての情報を含む落札通知を送信する。落札通知の送信先は、例えば、当該落札者が管理するＰＯＳ端末３０、ストアサーバー４０、本部サーバー５０又は購入者端末６０などである。また、プロセッサー１１は、落札者以外の入札者それぞれに対して、落札できなかった旨を示す通知を送信する。当該通知の送信先は、例えば、当該入札者が管理するＰＯＳ端末３０又は購入者端末６０などである。プロセッサー１１は、Ａｃｔ８の後、Ａｃｔ１へと戻る。
【００９２】
一方、落札通知を受信したＰＯＳ端末３０、ストアサーバー４０又は本部サーバー５０は、当該落札通知に含まれる、落札した商品についての情報を在庫管理に用いる。すなわち、ＰＯＳ端末３０、ストアサーバー４０又は本部サーバー５０は、例えば、落札した商品を入荷予定又は在庫に加える。
【００９３】
第１実施形態の商取引システム１によれば、商取引サーバー１０は、入札金額が同じ入札者がいた場合、販売率が高い入札者を優先して落札者として決定する。販売率が高い入札者は、商品の廃棄率も低いと考えられる。したがって、商取引システム１を用いてオークションを行うことで、従来のオークションよりも環境に対する悪影響が軽減される。したがって、環境などの観点を含めて販売先を決定したいと考える卸売販売者にとって有用である。また、出品される商品が食品、特に生鮮食品である場合には、商取引システム１は、食料廃棄率を減らすことができる。食料廃棄率の低減は、社会的な重要な課題であるので、出品される商品が食品である場合には、商取引システム１は、特に有用である。
また、販売率が低い入札者は、店頭に多くの商品が余っているような状況が発生していることが懸念される。商取引システム１では、このような商店が落札する可能性を軽減することができる。これにより、商取引システム１は、販売率が低い入札者が不良在庫を抱えることを軽減することができる。また、商取引システム１は、商品を入荷しすぎた入札者が当該商品を投売りすることによる商品イメージの低下などを軽減することができる。
また、通常のオークションでは、入札金額が同じ場合には、希望数量が多い者又は入札日時が早い者などが優先される場合が多い。このため、大規模事業者ほど落札しやすくなっている。しかしながら、第１実施形態の商取引システムであれば、販売率が高い入札者を優先するので、中小規模の事業者の不利を軽減又は解消することが可能であると考えられる。したがって、大規模事業者よりお得意様などを優先したい卸売販売者などにとって有用である。
【００９４】
また、第１実施形態の商取引システム１によれば、商取引サーバー１０は、入札者が運用するＰＯＳシステム上で行われた商取引についての販売情報を用いて落札者を決定する。商取引システム１は、従来のＰＯＳシステムにおける販売情報をそのまま利用することもできるので、商取引システム１構築のためのコストなどがあまりかからない。また、商取引サーバー１０は、サーバー間などのやりとりなどによって比較的容易に販売情報を取得できる。
【００９５】
また、第１実施形態の商取引システム１によれば、ＰＯＳ端末３０、ストアサーバー４０又は本部サーバー５０は、落札通知に含まれる落札した商品についての情報を、在庫管理に用いる。したがって、落札者は、在庫の入力の手間が軽減される。
【００９６】
また、第１実施形態の商取引システム１によれば、購入者端末６０などを用いて入札することが可能である。したがって、商取引システム１は、ＰＣなどの様々な装置を用いて入札が可能である。
また、第１実施形態の商取引システム１によれば、販売者端末２０などを用いて出品することが可能である。したがって、商取引システム１は、ＰＣなどの様々な装置を用いて出品が可能である。
【００９７】
〔第２実施形態〕
第２実施形態に係る商取引システム１について説明する。第２実施形態に係る商取引システム１の構成は、第１実施形態と同様であるので、説明を省略する。
以下、第２実施形態に係る商取引システム１の動作を図４及び図６に基づいて説明する。なお、以下の動作説明における処理の内容は一例であって、同様な結果を得ることが可能な様々な処理を適宜に利用できる。図６は、商取引サーバー１０のプロセッサー１１による制御処理のフローチャートである。プロセッサー１１は、ＲＯＭ１２又は補助記憶デバイス１４などに記憶された制御プログラムに基づいてこの制御処理を実行する。
第２実施形態では、プロセッサー１１は、第１実施形態の図５に代えて図６に示す落札者決定処理を行う。なお、図６において、図５と同様の処理については、図５と同一の符号を付している。また、図６における図５と同様の処理については、説明を省略する場合がある。
【００９８】
図６のＡｃｔ３１においてプロセッサー１１は、対象出品に対する入札を、オークションデータベースから抽出する。そして、プロセッサー１１は、抽出した入札をリスト化することで入札リストを作成する。ただし、プロセッサー１１は、入札価格が最低落札価格に満たない入札を入札リストに含めない。プロセッサー１１は、Ａｃｔ３１の後、Ａｃｔ３２へと進む。
【００９９】
Ａｃｔ３２においてプロセッサー１１は、対象出品の出品情報を参照して、同額入札時の落札者決定方法として販売情報を用いるように設定されているか否かを判定する。プロセッサー１１は、同額入札時の落札者決定方法として、販売情報を用いるように設定されているならば、Ａｃｔ３２においてＹｅｓと判定してＡｃｔ３３へと進む。
【０１００】
Ａｃｔ３３においてプロセッサー１１は、入札リストに含まれる入札のそれぞれについて、対象商品についての過去の特定の期間の商取引に係る販売情報を取得する。販売情報は、例えば、対象商品についての、特定の期間内の販売率及び特定の期間内の入荷数である。なお、プロセッサー１１は、第１実施形態のＡｃｔ１８と同様にして販売情報の取得を行う。以上より、Ａｃｔ３３の処理を行うことで、プロセッサー１１を中枢とするコンピューターは、商品の購入希望者の当該商品に関する商取引についての販売情報を取得する決定部として機能する。プロセッサー１１は、Ａｃｔ３３の後、Ａｃｔ３４へと進む。
【０１０１】
Ａｃｔ３４においてプロセッサー１１は、入札リストに含まれる入札のそれぞれについて、入札金額及び販売情報に基づいて評価値を決定する。プロセッサー１１は、例えば、予め定められた計算式によって入札金額及び販売情報から評価値を導出する。当該計算式は、例えば、オークションサービスの管理者若しくは設計者などによって予め定められる。当該計算式は、出品者が設定できても良い。この場合、出品情報は、当該計算式の設定についての情報を含む。評価値は、例えば、例えば、入札金額が高いほど大きい値である。評価値は、例えば、特定の期間内の販売率が高いほど大きい値である。また、評価値は、例えば、特定の期間内の入荷数が多いほど大きい値である。なお、プロセッサー１１は、販売情報が取得できなかった入札については、販売情報を用いずに入札金額に基づいて評価値を決定する。プロセッサー１１は、Ａｃｔ３４の後、Ａｃｔ３５へと進む。
【０１０２】
Ａｃｔ３５においてプロセッサー１１は、入札リストを更新して、入札リストに含まれる入札のそれぞれについて、Ａｃｔ３４で決定した評価値を関連付ける。プロセッサー１１は、Ａｃｔ３５の後、Ａｃｔ１２へと進む。
【０１０３】
一方、プロセッサー１１は、同額入札時の落札者決定方法として、販売情報を用いないように設定されているならば、Ａｃｔ３２においてＮｏと判定してＡｃｔ３６へと進む。
Ａｃｔ３６においてプロセッサー１１は、入札リストに含まれる入札のそれぞれについて、入札金額を評価値として用いることを決定する。プロセッサー１１は、Ａｃｔ３６の後、Ａｃｔ１２へと進む。
【０１０４】
プロセッサー１１は、Ａｃｔ１３においてＹｅｓと判定したならば、Ａｃｔ３７へと進む。
Ａｃｔ３７においてプロセッサー１１は、入札リストから、評価値が最も高い入札を抽出する。なお、評価値が最も高い入札が複数ある場合には、プロセッサー１１は、その全てを抽出する。プロセッサー１１は、Ａｃｔ３７の後、Ａｃｔ３８へと進む。
Ａｃｔ３８においてプロセッサー１１は、Ａｃｔ３７で抽出した入札が１つであるならば、当該入札に係る入札者を落札者として決定する。そして、プロセッサー１１は、Ａｃｔ３７で抽出した入札が複数であるならば、例えば、同額入札者が複数いる場合における公知の落札者決定方法を用いて、当該入札者の中から落札者を決定する。あるいは、プロセッサー１１は、販売情報に基づいて落札者を決定する。例えば、プロセッサー１１は、販売率が最も高い入札に係る入札者を落札者として決定する。以上より、Ａｃｔ３４、Ａｃｔ３７及びＡｃｔ３８の処理を行うことで、プロセッサー１１を中枢とするコンピューターは、販売情報に基づいて、商品の落札者を決定する決定部として機能する。プロセッサー１１は、Ａｃｔ３８の後、Ａｃｔ３９へと進む。
【０１０５】
Ａｃｔ３９においてプロセッサー１１は、Ａｃｔ３８で決定した落札者の落札金額を決定する。プロセッサー１１は、例えば、当該落札者の入札金額を落札金額として決定する。プロセッサー１１は、Ａｃｔ３９の後、Ａｃｔ２５へと進む。
第２実施形態では、Ａｃｔ２５においてプロセッサー１１は、変数ｎの値を、直前のＡｃｔ３８で決定した落札者に係る入札の希望数量分減らす。
【０１０６】
第２実施形態の商取引システム１によれば、商取引サーバー１０は、入札金額及び販売情報に基づく評価値によって、落札者を決定する。したがって、第１実施形態よりも、商品の販売率が低い入札者が落札することを減らすことができる。したがって、第２実施形態の商取引システム１は、お得意様などを優先したい卸売販売者などにとって有用である。
【０１０７】
また、第２実施形態の商取引システム１によれば、評価値は、入荷数に基づく。したがって、第２実施形態の商取引システム１は、入荷数の多いお得意様などが優先して落札できる。
【０１０８】
〔第３実施形態〕
第３実施形態に係る商取引システム１について説明する。第３実施形態に係る商取引システム１の構成は、第１実施形態及び第２実施形態と同様であるので、説明を省略する。
以下、第３実施形態に係る商取引システム１の動作を図４及び図７に基づいて説明する。なお、以下の動作説明における処理の内容は一例であって、同様な結果を得ることが可能な様々な処理を適宜に利用できる。図７は、商取引サーバー１０のプロセッサー１１による制御処理のフローチャートである。プロセッサー１１は、ＲＯＭ１２又は補助記憶デバイス１４などに記憶された制御プログラムに基づいてこの制御処理を実行する。
第３実施形態では、プロセッサー１１は、第１実施形態の図５に代えて図７に示す落札者決定処理を行う。なお、図７において、図５と同様の処理については、図５と同一の符号を付している。また、図７における図５と同様の処理については、説明を省略する場合がある。
【０１０９】
第３実施形態では、プロセッサー１１は、図７のＡｃｔ１５においてＹｅｓと判定したならば、Ａｃｔ４１へと進む。
Ａｃｔ４１においてプロセッサー１１は、Ａｃｔ１４で抽出した入札が１つであるならば、当該入札に係る入札者を落札者として決定する。そして、プロセッサー１１は、Ａｃｔ１４で抽出した入札が複数であるならば、例えば、同額入札者が複数いる場合における公知の落札者決定方法を用いて、当該入札者の中から落札者を決定する。あるいは、プロセッサー１１は、販売情報に基づいて落札者を決定する。例えば、プロセッサー１１は、販売率が最も高い入札に係る入札者を落札者として決定する。販売情報に基づいて落札者を決定する場合には、Ａｃｔ４１の処理を行うことで、プロセッサー１１を中枢とするコンピューターは、販売情報に基づいて、商品の落札者を決定する決定部として機能する。プロセッサー１１は、Ａｃｔ４１の後、Ａｃｔ４２へと進む。
【０１１０】
Ａｃｔ４２においてプロセッサー１１は、対象出品の出品情報を参照して、落札金額の決定方法として販売情報を用いるように設定されているか否かを判定する。プロセッサー１１は、落札金額の決定方法として販売情報を用いるように設定されているならば、Ａｃｔ４２においてＹｅｓと判定してＡｃｔ４３へと進む。
【０１１１】
Ａｃｔ４３においてプロセッサー１１は、Ａｃｔ４１で決定した落札者について、対象商品についての過去の特定の期間の商取引に係る販売情報を取得する。販売情報は、例えば、対象商品についての、特定の期間内の販売率及び特定の期間内の入荷数である。なお、プロセッサー１１は、第１実施形態のＡｃｔ１８と同様にして販売情報の取得を行う。以上より、Ａｃｔ４３の処理を行うことで、プロセッサー１１を中枢とするコンピューターは、商品の購入希望者の当該商品に関する商取引についての販売情報を取得する決定部として機能する。プロセッサー１１は、Ａｃｔ４３の後、Ａｃｔ４４へと進む。
【０１１２】
Ａｃｔ４４においてプロセッサー１１は、Ａｃｔ４１で決定した落札者の落札金額を、Ａｃｔ４３で取得した販売情報に基づいて決定する。すなわち、プロセッサー１１は、落札金額を、入札金額及び販売情報の関数によって導出する。例えば、プロセッサー１１は、当該販売情報を参照して、特定の期間内の販売率が予め定められた閾値を超える場合、落札金額を、入札金額から一定金額又は一定割合差し引いた金額とする。あるいは例えば、プロセッサー１１は、当該販売情報を参照して、特定の期間内の入荷数が予め定められた閾値を超える場合、落札金額を、入札金額から一定金額又は一定割合差し引いた金額とする。なお、閾値は多段階であってもよく、販売率又は入荷数が多いほど落札金額が安くなるようにしても良い。あるいは例えば、プロセッサー１１は、入札金額及び販売情報に基づく計算式によって落札金額を算出しても良い。この計算式は、例えば、販売率又は入荷数が多いほど落札金額が安くなるような計算式である。以上より、Ａｃｔ４４の処理を行うことで、プロセッサー１１を中枢とするコンピューターは、販売情報に基づいて、商品の落札金額を決定する決定部として機能する。
【０１１３】
対して、プロセッサー１１は、落札金額の決定方法として販売情報を用いないように設定されているならば、Ａｃｔ４２においてＮｏと判定してＡｃｔ４５へと進む。
Ａｃｔ４５においてプロセッサー１１は、Ａｃｔ４１で決定した落札者が入札した入札金額を、当該落札者の落札金額として決定する。プロセッサー１１は、Ａｃｔ４５の後、Ａｃｔ２５へと進む。また、プロセッサー１１は、Ａｃｔ４４の後もＡｃｔ２５へと進む。
第３実施形態では、Ａｃｔ２５においてプロセッサー１１は、変数ｎの値を、直前のＡｃｔ４１で決定した落札者に係る入札の希望数量分減らす。
【０１１４】
第３実施形態の商取引システム１によれば、商取引サーバー１０は、落札金額を、入札金額及び販売情報に基づいて決定する。したがって、商取引サーバー１０は、出品者のお得意様などに対して、金額面で優遇することができる。
【０１１５】
上記の実施形態は以下のような変形も可能である。
第１実施形態〜第３実施形態に係る商取引サーバー１０は、落札者決定処理において、販売情報をＰＯＳ端末３０、ストアサーバー４０又は本部サーバー５０から取得した。しかしながら、商取引サーバー１０は、オークションデータベースなどから販売情報を取得しても良い。この場合、例えば、商取引サーバー１０は、卸売購入者がＰＯＳ端末３０を用いて入札を行う際に取得する。すなわち、ＰＯＳ端末３０は、入札リクエストに販売情報を含める。そして、商取引サーバー１０は、入札登録を行う際、当該販売情報を入札ＩＤと関連付けることでオークションデータベースなどに記憶する。このようにすることで、落札者決定時に入札者のＰＯＳ端末３０、ストアサーバー４０又は本部サーバー５０にアクセスできない場合でも、販売情報を用いて落札者を決定することができる。ただし、商取引サーバー１０は、落札者決定処理中に販売情報を取得することで、より新しい販売情報を用いることができる。しかしながら、入札を受け付けている期間が短い場合、その差は小さくなる。
また、販売情報は、クラウド上に記憶されるものであっても良い。この場合、ＰＯＳ端末３０、ストアサーバー４０又は本部サーバー５０などは、都度販売情報をクラウド上にアップロードする。この販売情報の記憶先は、例えば、商取引サーバー１０である。販売情報がクラウド上に記憶されていれば、商取引サーバー１０は、当該クラウド上から販売情報を取得することができる。したがって、商取引サーバー１０が販売情報の取得に失敗する可能性が低くなる。特に、商取引サーバー１０が販売情報の記憶先であるならば、商取引サーバー１０が販売情報の取得に失敗する可能性はほとんど無くなる。クラウド上の、販売情報を記憶している装置は、販売記憶装置の一例である。
【０１１６】
第１実施形態〜第３実施形態に係る商取引サーバー１０が行うオークションは、封印入札方式である。しかしながら、商取引サーバー１０は、公開方式のオークションを行うことができても良い。公開方式のオークションの場合、例えば、プロセッサー１１は、入札があるたびに落札者決定処理を行うことで、現時点で入札を締め切ったと仮定した場合の落札者を決定する。そして、プロセッサー１１は、対象出品についてのＷｅｂページなどに、当該落札者に係る入札の入札金額及び希望数量を掲載するよう制御を行う。
【０１１７】
第１実施形態〜第３実施形態に係る商取引サーバー１０は、上記に挙げた以外にも様々な形式のオークションにおいて、販売情報を用いて落札者を決定することができる。また、第２実施形態に係る商取引サーバー１０は、上記に挙げた以外にも様々な形式のオークションにおいて、評価値を決定することができる。
一例として、第１実施形態又は第２実施形態に係る商取引サーバー１０は、クリアリングハウス又は板寄せ方式などと呼ばれる形式のオークションを用いても良い。このオークションでは、全ての落札者が同じ落札金額で落札する。当該落札金額は、例えば、全ての落札者の中でも最も低い入札金額である。したがって、プロセッサー１１は、落札金額を、全ての落札者が決定してからでないと決定できないため、落札者決定処理が終わった後に落札金額の決定を行う。
一例として、第３実施形態に係る商取引サーバー１０は、逆オークション、ダッチオークション又は競り下げ方式などと呼ばれる形式のオークションを用いても良い。この場合も、商取引サーバー１０は、落札者の落札金額を、入札金額及び販売情報を用いて決定する。
【０１１８】
第１実施形態〜第３実施形態に係る商取引サーバー１０などは、販売率を、以下に示す（１）式で求めた。
（販売率）＝（販売数）／（入荷数）      （１）
しかしながら、商取引サーバー１０などは、販売率を、例えば、以下に示す（２）式によって求めても良い。
（販売率）＝（（入荷数）−（在庫数））／（入荷数）      （２）
【０１１９】
第１実施形態の商取引サーバー１０は、落札者を決定するための販売情報として、販売率以外にも、販売数量、在庫数量、在庫回転率、商品回転率、又はその他の販売情報を用いても良い。
第２実施形態の商取引サーバー１０は、評価値を決定するための販売情報として、販売率及び入荷数量以外にも、在庫数量、在庫回転率、商品回転率、又はその他の販売情報を用いても良い。
第３実施形態の商取引サーバー１０は、落札金額を決定するための販売情報として、販売率及び入荷数量以外にも、在庫数量、在庫回転率、商品回転率、又はその他の販売情報を用いても良い。
以上のように、様々な販売情報を用いることで、出品者は、お得意様などを優遇しやすくなる。
【０１２０】
第１実施形態〜第３実施形態に係る商取引サーバー１０は、対象商品についての過去の商取引に係る販売情報を取得した。しかしながら、商取引サーバー１０は、対象商品と同種の商品又は類似の商品についての販売情報を取得しても良い。すなわち、例えば、商取引サーバー１０は、対象商品が特定品種のトマトである場合、品種に拘わらずトマト全てについての販売情報を取得しても良い。あるいは、商取引サーバー１０は、対象商品が特定品種のトマトである場合、他の品種のトマトについての販売情報を取得しても良い。また、商取引サーバー１０は、対象商品と同種の商品又は類似の商品に限らず、より広いカテゴリーについての販売情報を取得しても良い。例えば、対象商品が特定品種のトマトである場合、商取引サーバー１０は、野菜全て、生鮮食品全て、食品全て又は全商品についての販売情報を取得しても良い。以上のようにすることで、商取引サーバー１０は、新商品などの場合において同一商品についての販売情報を取得することができない場合にも、販売情報を取得することができる。対象商品と同種の商品又は類似の商品は、対象商品に関する商品である。また、上記のカテゴリーに含まれる商品は、対象商品に関する商品である。
【０１２１】
第２実施形態に係る商取引サーバー１０は、販売情報のみによって評価値を決定しても良い。
【０１２２】
商取引サーバー１０は、入札金額が固定のオークションを行うことができても良い。この場合、商取引サーバー１０は、例えば、販売情報に基づいて落札者を決定する。
【０１２３】
商取引サーバー１０は、第３実施形態だけでなく、第１実施形態、第２実施形態及びその他の変形例などにおいても販売情報を用いて落札金額を決定しても良い。この場合、プロセッサー１１を中枢とするコンピューターは、販売情報に基づいて、商品の落札金額を決定する決定部として機能する。
【０１２４】
数量は、個数に限らず、重さ、長さ又は体積などであっても良い。
【０１２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２６】
１……商取引システム、１０……商取引サーバー、１１……プロセッサー、１２……ＲＯＭ、１３……ＲＡＭ、１４……補助記憶デバイス、１５，２５，３５，４５，５５，６５……通信インターフェース、１６……バス、２０……販売者端末、３０……ＰＯＳ端末、４０……ストアサーバー、５０……本部サーバー、６０……購入者端末
【図１】
2019020900.tif 000006
【図２】
2019020900.tif 000007
【図３】
2019020900.tif 000008
【図４】
2019020900.tif 000009
【図５】
2019020900.tif 000010
【図６】
2019020900.tif 000011
【図７】
2019020900.tif 000012